(57)【要約】【課題】主に輪ゴムを簡単に着脱できるようにした事により輪ゴムの伸縮機能の利用を広げる事ができる輪ゴム等接続プレートを提供する。【解決手段】  主に輪ゴム1などの環状の弾性体を容易に繋留できる事によりその伸縮機能の利用を拡大するための可撓性を有する主として長方形の穴あきプレート2であって、輪ゴムを、パンチホール3をあけた、主に長方形の穴あきプレートに容易に輪ゴムを掛けられるようにスリット4を設けた事を特徴とする。【選択図】        図1
0003116681.tif 000002
【実用新案登録請求の範囲】
【請求項１】
おもに輪ゴムなどの環状の弾性体を容易に繋留できる事により、その伸縮機能の利用を拡大するための可撓性を有する、主として長方形の穴あきプレートであって、
該プレートの長辺の四隅もしくは長方形の対向する長辺に、輪ゴムなどの環状弾性体を繋留するためのスリットが入ったパンチホールがプレートの四隅に各１個、若しくは複数個、一定間隔をおいてあけられており、その穴にスリット入れることにより、輪ゴムなどの環状弾性体等がスリットを通って該プレートに容易に着脱可能で、しかも使用中には外れにくいことを特徴とする輪ゴム等繋留プレート。
【請求項２】
前記輪ゴム等繋留プレートに主に輪ゴムなどの環状弾性体や紐などを掛けてセットするときに通すスリットに、プレートの縁とパンチホールの間に曲折を入れることにより、輪ゴムなどの環状の弾性体が、より外れ難くなる事を特徴とする請求項1記載の輪ゴム等繋留プレート。
【請求項３】
前記輪ゴム等繋留プレートを複数枚重ねて、それぞれのスリットの位置や形を適度にずらす事により、環状弾性体や紐等が簡単にスリットを通って外れる事を防止できる事を特徴とする請求項1記載の輪ゴム等繋留プレート。
【考案の詳細な説明】
【技術分野】
【０００１】
本考案は、輪ゴムなどの環状弾性体が容易に着脱でき、かつ使用中に簡単に外れないようにする事によって、本来輪ゴムなどの環状弾性体はそれ自体が伸縮する範囲でしかその機能を持たせられなかったものを、輪ゴムなどの環状弾性体を非弾性部材と連続的に繋留することにより、所望の形状、伸縮強度と進展する長さの弾性を得ることを可能とした輪ゴム等繋留プレートに関する。
【背景技術】
【０００２】
従来は輪ゴムなどの環状弾性体は、１本か或いはせいぜい複数本つなげたりする程度だったので、その伸縮機能を十分には引き出せていなかった。これまでは、より大きい物を束ねる場合には、輪ゴムどうしを括れば長い弾性体を作る事が出きるが、一般的な輪ゴムでは結び目が硬くなってしまうと、簡単にはもとの輪ゴムの形に解く事が出来ないという問題点があった。
【０００３】
また、輪ゴムだけを使った場合では伸縮長と伸縮強度のバランスを調整する事は困難で、例えば輪ゴムを繋げただけでは伸びすぎてしまい、使いづらい事もあった。
【考案の開示】
【考案が解決しようとする課題】
【０００４】
解決しようとする課題は、たとえ輪ゴム1本でもその伸縮機能を容易に利用できるよう、プレートや紐等と簡単に繋留できるようにする事により、伸縮機能を有した新しい伸縮具を低コストでの利用を可能とする。
【課題を解決するための手段】
【０００５】
図１、図２のように、主として長方形の可撓性を有するプレートの長辺に沿って内側にパンチホールを開け、それにスリットをつけることにより、輪ゴムなどの弾性体がを容易に着脱でき、輪ゴムなどの弾性体とプレートや紐と繋留できる様にする。
【０００６】
また、スリットに曲折を入れたり、スリットの形や位置を適度に変更したプレートを重ねて使用できる様にする。また輪ゴムを通すホールを複数にして、しかもたすきがけに輪ゴムを通す事より容易に輪ゴムが使用中に外れない様にする。
【考案の効果】
【０００７】
本考案の効果として、輪ゴムだけで使用するよりも伸縮の長さ、伸縮の強度を自在に調節できるし、輪ゴムとは異なる新たな伸縮具として使用できる可能性があるだけでなく、着脱が簡単な事から工夫次第で汎用性が高く、しかもローコストで様々なものに応用して使用することができる。
【考案を実施するための最良の形態】
【０００８】
以下、本考案の実施の形態について図面に基づき説明する。
【０００９】
以下の例では伸縮性のあるゴム等の素材として、何処の家庭でもある輪ゴムを使用し、これを何本か束ねたり重ねたりして収縮力の強度を調節して使用するものとし、プレートの材質としては可撓性を有する合成樹脂などが最も適当な素材として考えられる。構造的には図1の如く最も基本的な形態としては輪ゴム、４隅のパンチホールにスリットを入れたプレートで構成できる。
【００１０】
また、図2においては輪ゴムと樹脂製プレートを用いて、それらを接続する為にプレートにはパンチホールが長方形の長辺の4隅に各２個ずつが開けられ、さらに輪ゴムがが簡単に外れないようにスリットが、まっすぐではなく曲折して設けられており、かつ輪ゴムをたすきがけに繋留してプレートを接続している。これにより輪ゴムの脱落を防止する。この輪ゴムは何本かまとめて使ったり輪ゴムを二重にして使用する事により伸縮強度、伸展長を自由に変更できるし、またプレートの長さ自体も自由に変更して差し支え無い。
【００１１】
図3ではこの樹脂プレートを輪ゴムによって複数枚（この例では３枚）張り合わせており、各プレートの曲折したスリットの位置が微妙にずれている事により、輪ゴムが自然脱落しにくいものとなっている。またプレートを張り合わせることにより当然にプレートそのものの強度を向上させる効果があるので輪ゴムを複数本、繋留することが可能となる。又、輪ゴムの張り方はこの例以外にも様々に張ることが可能である。
【００１２】
図4ではホールの間隔とプレートの幅（長方形の短辺）を一定に標準化することにより、2枚のプレートを輪ゴムによって直角に張り合わせる事もできることを示している。この事により2次元的に、例えば網状に輪ゴムとプレートの接続を拡大してゆける事になる。
【００１３】
図5の左は紐接続用のプレート2枚を紐で接続している。これにより例えば右図のようにプレート同士を輪ゴムの伸縮力で紐を締めつけてブックバンドとして使用したり、古紙を括る場合に利用可能であることを示している。この例では2本の紐を使っているが紐を十字に括れば1本の紐でも括る事は当然可能である。
【００１４】
図６と図7は屑篭の外周上部にベルト状に輪ゴムとプレートを接続して、屑篭にセットされたポリ袋等の縁押さえとして使用している例であるが、図6はこのベルト状に設置されたプレートと輪ゴムに、やはり輪ゴムで繋留された、屑篭の中身が外から見えにくくするための簡易開閉蓋を容易に設置可能である事を示している。
【００１５】
また図7の例では、屑篭の蓋ではなく、一時的にゴミが多くて入りきらない時等、ゴミが屑篭から溢れないように輪ゴムとプレートでゴミを押さえる機能も簡単に付与できる事を示した図である。
【００１６】
図８は蒲団を竿に渡して干す場合、蒲団が風で落ちたりしないように輪ゴムと接続プレートを環状に接続して、これを蒲団押えに使用した図である。
【００１７】
図9は自転車の荷台に荷物を抑えるフックつきゴム紐の代わりに輪ゴムとプレートを使用した例である。必要なところに必要な強度、長さで張ることが出来るから、紐が余らず確実にとめることができて扱いやすい。
【産業上の利用可能性】
【００１８】
これまで図面で例示しているように、屑篭にセットされたポリ袋を抑えたり、屑篭に蓋をつけたりは簡単にできるし、荷台に荷物をくくるためのフックつきのゴム紐の代用として使用できるし、或いは筋力アップのためのトレーニング用具としても使用は可能である。また縦横に広げて行く事が可能なのでネット状の弾性具として利用可能範囲は広がる。
【図面の簡単な説明】
【００１９】
【図１】輪ゴムとスリットいりホールのついたプレートの基本的な形の図である。
【図２】実際に輪ゴムとプレートを繋留しているがホールを4個つけて、たすきに輪ゴムを掛けて輪ゴムが外れないように繋留している。
【図３】輪ゴムでプレートを重ねた物を張り合わせている。
【図４】2枚のプレートを輪ゴムで垂直に張り合わせている。
【図５】図5は輪ゴムとプレートと紐を組み合わせてブックバンドなどの機能をもたせている。
【図６】屑篭などのゴミ箱ベルト状に掛けて、ゴミ袋お袋さえとして使用すると同時に簡易的な蓋を設けている。
【図７】屑篭などのゴミ箱にベルト状に掛けて、ゴミ袋お袋さえとして使用すると同時にゴミが溢れ出さないような機能を持たせている。
【図８】物干し竿に蒲団を掛けたときの蒲団お袋さえとして使用している。
【図９】自転車の荷台の荷物お袋さえとして使用している。
【符号の説明】
【００２０】
１                    輪ゴム
２                    樹脂プレート
３                    プレートの四隅に開けられたパアンチホール
４                    パンチホール３のスリット
５                    パンチホール３の曲折したスリット
６                    紐
７                    紐接続用プレート
８                    本、雑誌、古新聞等
９                    屑篭
１０            屑篭の蓋
１１            輪ゴム等接続プレートで作った屑篭ベルト
１２            蒲団
１３            物干し竿
１４            自転車の荷物
１５            自転車の荷台
【図１】
0003116681.tif 000003
【図２】
0003116681.tif 000004
【図３】
0003116681.tif 000005
【図４】
0003116681.tif 000006
【図５】
0003116681.tif 000007
【図６】
0003116681.tif 000008
【図７】
0003116681.tif 000009
【図８】
0003116681.tif 000010
【図９】
0003116681.tif 000011